(57)【要約】【課題】簡単な構成の変更により、時計バンドを取り付けるバネ棒の着脱に伴う割れや欠けがケース本体の脚部に生ずるのを防ぐ。【解決手段】バネ棒３の止め穴２２ａ，２２ｂ、２３ａ，２３ｂを突端寄りに開孔した左右対の突片２０ａ，２０ｂ、２１ａ，２１ｂを脚部１１ａ，１１ｂ、１２ａ，１２ｂの内壁面に相応させてケース本体１との相対面に設けた耐衝撃性のある金属製の裏蓋２を備え、その裏蓋２の各突片２０ａ，２０ｂ、２１ａ，２１ｂを各脚部１１ａ，１１ｂ、１２ａ，１２ｂの内壁面に嵌合固定すると共に、バネ棒３を突片２０ａ，２０ｂ、２１ａ，２１ｂの間に掛渡し係止する。【選択図】  図１
2004198183.tif 000002
【特許請求の範囲】
【請求項１】
左右対の脚部又はそれに相当する形状の脚部を相対位置に設けた超硬材質のケース本体と、ケース本体の裏側に取付固定される裏蓋と、時計バンドを前記脚部の間に支持するためのバネ棒の取付スペースとを備える超硬腕時計ケースにおいて、バネ棒の止め穴を設けた耐衝撃性のある金属部材を前記脚部の取付スペースの内壁面に備え付け、バネ棒を該金属部材の間に掛渡し係止することを特徴とする超硬腕時計ケース。
【請求項２】
バネ棒の止め穴を突端寄りに開孔した左右対の突片を各脚部の内壁面に相応させてケース本体との相対面に設けた耐衝撃性のある金属製の裏蓋を備え、裏蓋の各突片を各脚部の内壁面に嵌合固定させてバネ棒を該突片の間に掛渡し係止することを特徴とする請求項１に記載の超硬腕時計ケース。
【請求項３】
裏蓋の各突片を面一に嵌合せ固定する切欠溝を各脚部の内壁面に設けたケース本体を備え、各突片を各脚部の切欠溝で内壁面と面一に嵌め合せて裏蓋をケース本体の裏側に嵌合固定することを特徴とする請求項２に記載の超硬腕時計ケース。
【請求項４】
バネ棒の止め穴を設けた耐衝撃性のある金属製の管状部材を脚部の内壁面に埋込み装着したケース本体を備え、バネ棒を該管状部材の間に掛渡し係止することを特徴とする請求項１に記載の超硬腕時計ケース。
【発明の詳細な説明】
【０００１】
【発明の属する技術分野】
本発明は、左右対の脚部を相対位置に設けた超硬材質のケース本体を備え、時計バンドをバネ棒で脚部の間に支持する超硬腕時計ケースの改良に関するものである。
【０００２】
【従来の技術】
従来、左右対の脚部をケース本体の相対位置に設け、時計バンドをバネ棒で脚部の間に取り付ける腕時計ケースが知られている（特許文献１，２）。この腕時計ケースにおいては、バネ棒を掛渡し係止する止め穴が各脚部の内壁面に設けられている。
【０００３】
【特許文献１】
特開平７−２３１８０２号公報
【特許文献２】
特開平１０−２２５３０９号公報
【０００４】
その腕時計ケースとしては、ケース本体を超硬合金やセラミックス等の難加工材料の硬質材料で形成するものがある。また、超硬腕時計ケースにおいては、バネ棒の止め穴が各脚部の内壁面に直接施す放電加工技術で設けられている。
【０００５】
この超硬腕時計ケースでは、時計バンドの着脱において、バネ棒を着脱する際の作業やバネの衝撃により、割れや欠けが脚部の止め穴周辺に生じ易く、外観上問題になることが多い。それは、欠け易い超硬材料の物的特性によるばかりでなく、放電加工に伴って生ずる変質加工表面層のマイクロクラックが原因として挙げられる。
【０００６】
【発明が解決しようとする課題】
本発明は、簡単な構成の変更により、時計バンドを支持するバネ棒の着脱に伴う割れや欠けがケース本体の脚部に生じないよう改良した超硬腕時計ケースを提供することを目的とする。
【０００７】
【課題を解決するための手段】
本発明の請求項１に係る超硬腕時計ケースにおいては、左右対の脚部又はそれに相当する形状の脚部を相対位置に設けた超硬材質のケース本体と、ケース本体の裏側に取付固定される裏蓋と、時計バンドを前記脚部の間に支持するためのバネ棒の取付スペースとを備えるもので、バネ棒の止め穴を設けた耐衝撃性のある金属部材を前記脚部の取付スペースの内壁面に備え付け、バネ棒を該金属部材の間に掛渡し係止するよう構成されている。
【０００８】
本発明の請求項２に係る超硬腕時計ケースにおいては、バネ棒の止め穴を突端寄りに開孔した左右対の突片を各脚部の内壁面に相応させてケース本体との相対面に設けた耐衝撃性のある金属製の裏蓋を備え、裏蓋の各突片を各脚部の内壁面に嵌合固定すると共に、バネ棒を該突片の間に掛渡し係止するよう構成されている。
【０００９】
本発明の請求項３に係る超硬腕時計ケースにおいては、裏蓋の各突片を面一に嵌合せ固定する切欠溝を各脚部の内壁面に設けたケース本体を備え、各突片を各脚部の切欠溝で内壁面と面一に嵌め合せて裏蓋をケース本体の裏側に嵌合固定するよう構成されている。
【００１０】
本発明の請求項４に係る超硬腕時計ケースにおいては、バネ棒の止め穴を設けた耐衝撃性のある金属製の管状部材を脚部の内壁面に埋込み装着したケース本体を備え、バネ棒を該管状部材の間に掛渡し係止するよう構成されている。
【００１１】
【発明の実施の形態】
以下、添付図面を参照して説明すると、図示実施の形態は、図１で示すようにケース本体１，裏蓋２並びにバネ棒３（一本のみ図示）を備え、時計バンド４をバネ棒３で支持する腕時計ケースとして組み立てられる。ケース本体１は、超硬合金，セラミックス等の超硬材料で形成されている。裏蓋２は、ステンレス等の耐衝撃性のある金属部材として形成されている。
【００１２】
ケース本体１は、外枠１０を主体に、左右対の脚部１１ａ，１１ｂ、１２ａ，１２ｂを外枠１０の相対位置に設け、時計バンド４を脚部１１ａ，１１ｂ、１２ａ，１２ｂの間に支持するためのバネ棒３の取付スペース１３（一般的に、時計用語で「カン股」ともいう。）を備えて形成されている。裏蓋２は、脚部１１ａ，１１ｂ、１２ａ，１２ｂを含む外枠１０の裏側に嵌合固定可能な輪郭の平板状に形成されている。バネ棒３は、左右の突出ピン３ａ，３ｂをスリーブ３ｃの内部に収容したコイルバネ（図示せず）で弾圧支持するよう組み立てられている。
【００１３】
上述した構成部から腕時計ケースを組み立てることを基本形態とし、バネ棒３を掛渡し係止するべく、耐衝撃性のある金属部材が脚部１１ａ，１１ｂ、１２ａ，１２ｂの内壁側に取り付けられている。その具体例としては、図１〜３で示す裏蓋２による場合（第１の実施の形態）と、図４並びに図５で示す管状部材による場合（第２の実施の形態）が挙げられている。
【００１４】
第１の実施の形態では、左右対の突片２０ａ，２０ｂ、２１ａ，２１ｂが裏蓋２に設けられている。各突片２０ａ，２０ｂ、２１ａ，２１ｂは、ケース本体１と相対する板面より一体に立ち上げて裏蓋２と同じ耐衝撃性のある金属部材として形成されている。この突片２０ａ，２０ｂ、２１ａ，２１ｂには、バネ棒の止め穴２２ａ，２２ｂ、２３ａ，２３ｂが突端寄りに開孔されている。
【００１５】
ケース本体１には、突片２０ａ，２０ｂ、２１ａ，２１ｂを嵌め込む切欠溝１４（図１中、一つのみ図示）が脚部１１ａ，１１ｂ、１２ａ，１２ｂの内壁面に設けられている。この切欠溝１４は、各突片２０ａ，２０ｂ、２１ａ，２１ｂが脚部１１ａ，１１ｂ、１２ａ，１２ｂの内壁面と面一に嵌り合うよう輪郭並びに深さを合わせて形成されている。その切欠溝１４は、四つを同じ方向より同時に放電加工で簡単に形成できる。
【００１６】
上述した各構成部からは、ムーブメント、文字板や外装ガラス等の必要部品をケース本体１に組み付け、裏蓋２をケース本体１の裏側にあてがって四個所程度を抜き穴２４ａ，２４ｂ、２５ａ，２５ｂに通すビス５ａ，５ｂ，５ｃ（図１中、三本のみ図示）でケース本体１にネジ止めすることから超硬腕時計ケース乃至は腕時計として組み立てられる。
【００１７】
その腕時計ケースでは、図２で示す（一つのみ図示）ように裏蓋２の突片２０ａが切欠溝１４と嵌り合って外部に露出しないよう脚部１１ａの内壁面と面一に組付け固定されるから、デザイン的にも、通常通りの形態を有するものに組み立てられる。
【００１８】
その腕時計ケースの時計バンド４を取り付けるには、図３で示す（片側のみ図示）ようにバネ棒３の突出ピン３ａを突片２０ａの止め穴２２ａに嵌め込んでバネ棒３を突片２０ａの間に掛渡し係止する。この突片２０ａは、上述したようにステンレス等に耐衝撃性のある金属部材として裏蓋２と一体に形成されているから、バネ棒３の着脱に伴う衝撃による突片２０ａの割れや欠けが生じない。
【００１９】
それと共に、ケース本体１の脚部１１ａにはバネ棒の止め穴２２ａを設けなくてよく、また、ケース本体１の脚部１１ａを裏蓋２の突片２０ａで補強できるから、割れや欠けがケース本体１の脚部１１ａに生ずるのを防げる。
【００２０】
第２の実施の形態では、図４で示す（一部のみ図示）ように円筒状の管状部材６がステンレス等の耐衝撃性のある金属部材として備えられている。その管状部材６は、径内をバネ棒の止め穴６ａとして脚部１１ａの内壁面に埋込み装着される。また、座刳り穴１５をケース本体１の脚部１１ａに設けてロー付け等で確実に接合固定できる。
【００２１】
この実施の形態においても、時計バンド４を取り付けるには、図５で示す（片側のみ図示）ようにバネ棒３の突出ピン３ａを管状部材６の径内に嵌め込んでバネ棒３を管状部材６の間に掛渡し係止する。この管状部材６は、ステンレス等に耐衝撃性のある金属部材として形成されているから、バネ棒３の着脱に伴う衝撃による突片２０ａの割れや欠けが生じない。また、ケース本体１の脚部１１ａを管状部材６で補強できるから、割れや欠けがケース本体１の脚部１１ａに生ずるのも防げる。
【００２２】
上述した用語及び表現は単に説明のために用いたものに過ぎず、本発明の内容を何ら限定するものではない。例えば、左右対の脚部とは、それに相当する形状の脚部も含まれる。この他に、限定的な用語や表現を用いたとしても、そのことにより、上述した本発明の形態と均等なものを排除する意図はない。このため、権利が要求されている本発明の範囲内で種々の変更が加えられる。
【００２３】
【発明の効果】
以上の如く、本発明に係る超硬腕時計ケースに依れば、バネ棒の止め穴を突端寄りに開孔した左右対の突片を各脚部の内壁面に相応させてケース本体との相対面に設けた耐衝撃性のある金属製の裏蓋を備え、その裏蓋の各突片を各脚部の内壁面に取付固定し、または、バネ棒の止め穴を設けた耐衝撃性のある金属製の管状部材を脚部の内壁面に埋込み装着し、時計バンドを支持するバネ棒を突片乃至は管状部材の間に掛渡し係止するという簡単な構成の変更により、バネ棒の着脱に伴う割れや欠けがケース本体の脚部に生ずるのを防げる。
【００２４】
上述したうちでバネ棒の止め穴を開孔した突片を裏蓋に設ける場合でも、各突片を各脚部の切欠溝で内壁面と面一に嵌め合せて裏蓋をケース本体の裏側に嵌合固定することにより、デザイン的にも、通常通りの形態を有する腕時計ケースとして組み立てられる。
【図面の簡単な説明】
【図１】本発明の一つの実施の形態に係る超硬腕時計ケースを各構成部毎に展開させて示す斜視図である。
【図２】図１の超硬腕時計ケースを示す部分斜視図である。
【図３】図１の超硬腕時計ケースを示す部分断面図である。
【図４】本発明の別の実施の形態に係る超硬腕時計ケースを管状部材の取外し状態で示す部分斜視図である。
【図５】図４の超硬腕時計ケースを管状部材並びにバネ棒の取付け状態で示す部分断面図である。
【符号の説明】
１                      ケース本体
１１ａ，１１ｂ、１２ａ，１２ｂケース本体の脚部
１３                    バネ棒の取付スペース
１４                    脚部の切欠溝
２                      裏蓋
２０ａ，２０ｂ、２１ａ，２１ｂ裏蓋の突片
２２ａ，２２ｂ、２３ａ，２３ｂバネ棒の止め穴
３                      バネ棒
４                      時計バンド
６                      管状部材
６ａ                    バネ棒の止め穴
【図１】
2004198183.tif 000003
【図２】
2004198183.tif 000004
【図３】
2004198183.tif 000005
【図４】
2004198183.tif 000006
【図５】
2004198183.tif 000007